(57)【要約】【課題】全体を小型化した場合にもバイメタルの湾曲量を確保し易い板バネフィンガ式の配線用遮断器を提供する。【解決手段】瞬時引外し装置の固定鉄片１０の磁路を形成しない基部１２上に、バイメタル１５の基部と板バネフィンガ７の基部とをそれぞれかしめ固定する。各かしめ位置は少し離れており、その部分が電路１６となる。瞬時引外し装置の固定鉄片１０の基部１２の一部を電路１６としたため、その部分のヒータ効果により、バイメタル１５の湾曲量を確保し易くなる。【選択図】図５
2008071658.tif 000002
【特許請求の範囲】
【請求項１】
瞬時引外し装置の固定鉄片の磁路を形成しない基部上に、バイメタルの基部と板バネフィンガの基部とを、相互間に間隔を持たせてそれぞれ固定し、前記固定鉄片の基部の一部を電路としたことを特徴とする配線用遮断器。
【請求項２】
板バネフィンガが銅合金製であり、瞬時引外し装置の固定鉄片の基部にかしめ固定されていることを特徴とする請求項１に記載の配線用遮断器。
【請求項３】
板バネフィンガが銅合金製であり、瞬時引外し装置の固定鉄片の基部に溶接されていることを特徴とする請求項１に記載の配線用遮断器。
【請求項４】
瞬時引外し装置の固定鉄片の幅方向中心位置にバイメタルが固定されているとともに、幅方向中心より偏った位置に板バネフィンガが固定されていることを特徴とする請求項１に記載の配線用遮断器。
【請求項５】
瞬時引外し装置の固定鉄片の表面処理を少なくとも二層以上とし、一層目を銅メッキとしたことを特徴とする請求項２または３に記載の配線用遮断器。
【発明の詳細な説明】
【技術分野】
【０００１】
本発明は、板バネフィンガを用いた比較的小型の配線用遮断器に関するものである。
【背景技術】
【０００２】
板バネにより構成した板バネフィンガ式の配線用遮断器は、特許文献１に示されるように従来から知られている。従来の配線用遮断器では、板バネフィンガの基部はバイメタルにかしめや溶接等で固定されている。電流はこの板バネフィンガ−バイメタルを流れ、過電流が流れた場合にはバイメタルを湾曲させて引き外し機構を作動させるようにしていた。
【０００３】
このような配線用遮断器においては、全体寸法を小型化しようとすると、必然的にバイメタルの長さも短くなるため、過電流が流れた場合のバイメタルの湾曲量を確保しにくく、全体の小型化を阻害しているという問題もあった。
【特許文献１】特開２００３−１７８６６５号公報
【発明の開示】
【発明が解決しようとする課題】
【０００４】
本発明は上記した従来の問題点を解決して、板バネフィンガ部分の構造が簡単で小型化に有利であり、小型化を図るためにバイメタルを短くした場合にも、過電流が流れた場合のバイメタルの湾曲量を確保し易い板バネフィンガ式の配線用遮断器を提供するためになされたものである。
【課題を解決するための手段】
【０００５】
上記の課題を解決するためになされた本発明の配線用遮断器は、瞬時引外し装置の固定鉄片の磁路を形成しない基部上に、バイメタルの基部と板バネフィンガの基部とを、相互間に間隔を持たせてそれぞれ固定し、前記固定鉄片の基部の一部を電路としたことを特徴とするものである。なお、板バネフィンガが銅合金製であり、瞬時引外し装置の固定鉄片の基部にかしめ固定、あるいは溶接されていることが好ましい。また、瞬時引外し装置の固定鉄片の幅方向中心位置にバイメタルが固定されているとともに、幅方向中心より偏った位置に板バネフィンガが固定されていることが好ましく、瞬時引外し装置の固定鉄片の表面処理を少なくとも二層以上とし、一層目を銅メッキとすることができる。
【発明の効果】
【０００６】
本発明の配線用遮断器は、瞬時引外し装置の固定鉄片の磁路を形成しない基部上に、バイメタルの基部と板バネフィンガの基部とを、相互間に間隔を持たせて固定することにより、鉄製の瞬時引外し装置の固定鉄片の基部の一部を電路としたため、その部分が発熱し易くなり、ヒータ効果によってバイメタルを加熱する。このためバイメタルの長さを短くしても必要な湾曲量を確保し易く、小型化に有利である。さらに、板バネフィンガとバイメタルと瞬時引外し装置の固定鉄片とを一体化できるため、組立て作業性を向上させることが可能となる。
【発明を実施するための最良の形態】
【０００７】
以下に本発明の実施形態を詳細に説明する。
図１と図２は実施形態の配線用遮断器の全体図であり、１はケース、２はケース１の上部に軸支されたハンドルである。ハンドル２の下方にはリンク３を介してラッチ４が設けられており、さらにその下方には昇降部材５が設けられている。昇降部材５はコイルバネ６によって常に上向きに付勢されているが、図１の状態からハンドル２をオン方向（左方向）に操作するとリンク３、ラッチ４によって昇降部材５が押し下げられ、板バネフィンガ７が下方に撓んでその先端の可動接点８が固定接点９に接触し、オン状態となる。
【０００８】
図３と図４は、瞬時引外し装置の固定鉄片１０の周辺部分を取り出して示した拡大図である。この固定鉄片１０は鋼板をプレスし、図示のような形状に屈曲成形したものであって、上部は水平断面がコの字状となった磁路を形成する部分１１である。また下方は垂直部１２ａ及び傾斜部１２ｂよりなる基部１２となっており、固定鉄片１０の幅方向中心より偏った位置に傾斜部１２ｂを形成している。
【０００９】
１３は引き外し片であり、やはり鋼板をプレスし、図示のような略Ｌ字形状に屈曲成形したもので、その基部は復帰バネ１４を介して瞬時引外し装置の固定鉄片１０の基部１２に弾性的に取り付けられている。図１に示すように、ラッチ４の先端は引き外し片１３の窓孔に位置する復帰バネ１４の係合部に係止されており、引き外し片１３が瞬時引外し装置の固定鉄片１０に吸着され、あるいはバイメタル１５の湾曲によってラッチ４の反対方向に動かされると、ラッチ４が引き外し片１３から外れて引き外し動作が行われることは従来品と同様である。
【００１０】
この引き外し片１３の構造自体は本発明の本質的部分ではないので、図５〜図７に引き外し片１３を除いた状態における瞬時引外し装置の固定鉄片１０の周辺部分の図面を示す。これらの図面に示されているように、固定鉄片１０の内部には幅方向中心位置にバイメタル１５が設けられている。バイメタル１５の基部は固定鉄片１０の基部１２のうち垂直部１２ａにかしめ固定されている。
【００１１】
また、瞬時引外し装置の固定鉄片１０の幅方向中心より偏った位置の傾斜部１２ｂには、板バネフィンガ７の基部がかしめ固定されている。板バネフィンガ７は銅合金製であるが、固定鉄片１０は鋼板製であるから、従来のかしめ強度よりも大きなかしめ強度を得ることができ、傾斜部１２ｂへのかしめ部を板バネフィンガ７の支点として使用することができる。
【００１２】
従来、２極の配線用遮断器で、ケースの幅半分位置に各々板バネフィンガが存在しバイメタルがケースの幅半分位置の中心に設けられている場合には、板バネフィンガは基端部を幅広として略Ｌ字状に形成し、ケースの幅半分位置の中心で板バネフィンガとバイメタルを固着しているが、板バネフィンガの材料幅を部分的に広げる必要があるため、材料の歩留まりが悪い。しかし本実施形態では、バイメタル１５は瞬時引き外し装置の固定鉄片１０の幅方向中心位置に設けられ、板バネフィンガ７は瞬時引き外し装置の固定鉄片１０の幅方向中心位置より偏った位置の下方に延設した基部１２に設けれている。よって、板バネフィンガ７とバイメタル１５の各々の中心がずれた構造においても、板バネフィンガの材料の歩留まりが高い。
【００１３】
また本実施形態では、瞬時引き外し装置の固定鉄片１０は鉄で板バネフィンガ７は銅のため、かしめた時に鉄と銅が接触すると異種金属接触腐食を起こす恐れがある。そのため、表面処理を銅‐錫の二層とし、かしめによって例えば二層目の表面処理を錫にした場合、錫が削れても一層目の銅があるため、銅と銅の接触となり異種金属接触腐食のおそれがないものであり、少なくとも二層以上のものであればよい。
【００１４】
また、瞬時引き外し装置の固定鉄片１０と板バネフィンガ７やバイメタル１５をかしめ固定する場合には、固定鉄片にかしめのための突起を形成しているが、この他にも、板バネフィンガ７やバイメタル１５にかしめのための突起・アーム抱合部を形成するようにしてもよい。
【００１５】
上記のように、本発明ではバイメタル１５と板バネフィンガ７とは共に鉄製の瞬時引外し装置の固定鉄片１０の基部１２に固定されているのであるが、各取付部位（かしめ部）の相互間には所定の間隔を持たせてあり、その間隔部分が電路１６を構成している。すなわち、バイメタル１５の上方部分はより線１７を介して電源側端子１８に接続されており、電流はバイメタル１５から上記の電路１６を介して板バネフィンガ７に流れる。
【００１６】
この電路１６は鉄材により構成されているので、銅合金製の他の部分に比較して電気抵抗が大きく、従って過電流が流れた場合のジュール発熱量が大きくなる。この発熱によってバイメタル１５の湾曲量を大きくすることができるので、バイメタル１５の長さを短くしても、引き外し片１３を動かすのに必要な湾曲量を確保することができる。なお、バイメタル１５の先端と引き外し片１３との間隔は、引き外し片１３の先端に設けられた調整ネジ１９によって調整されることは従来と同様である。
【００１７】
従って本発明の構成を採用すれば、鉄製の瞬時引外し装置の固定鉄片１０の基部１２の一部を電路１６としたことにより、その部分のヒータ効果によってバイメタル１５の湾曲量を確保し易くなる。このためバイメタル１５を短くすることができ、配線用遮断器の小型化を図ることができる。また図３に示すように板バネフィンガ７とバイメタル１５と瞬時引外し装置の固定鉄片１０とを一体化できるため、組立て作業性を向上させることができる。
【００１８】
なお本発明の要部は、瞬時引外し装置の固定鉄片１０の基部１２に、バイメタル１５の基部と板バネフィンガ７の基部とを間隔を持たせて固定し、基部１２の一部を電路１６とした点にあり、その具体的な形態及び配線用遮断器のその他の部分の構成は、図示の形態に限定されないことはいうまでもない。
【図面の簡単な説明】
【００１９】
【図１】実施形態の配線用遮断器の全体を示す正面図である。
【図２】実施形態の配線用遮断器の全体を示す斜視図である。
【図３】瞬時引外し装置の固定鉄片の周辺部分を取り出して示した拡大図である。
【図４】瞬時引外し装置の固定鉄片の周辺部分を取り出して示した拡大斜視図である。
【図５】引き外し片を取り外した状態の拡大図である。
【図６】引き外し片を取り外した状態の拡大斜視図である。
【図７】引き外し片を取り外した状態の拡大斜視図である。
【符号の説明】
【００２０】
１  ケース
２  ハンドル
３  リンク
４  ラッチ
５  昇降部材
６  コイルバネ
７  板バネフィンガ
８  可動接点
９  固定接点
１０  瞬時引外し装置の固定鉄片
１１  磁路を形成する部分
１２  基部
１３  引き外し片
１４  復帰バネ
１５  バイメタル
１６  電路
１７  より線
１８  電源側端子
１９  調整ネジ
【図１】
2008071658.tif 000003
【図２】
2008071658.tif 000004
【図３】
2008071658.tif 000005
【図４】
2008071658.tif 000006
【図５】
2008071658.tif 000007
【図６】
2008071658.tif 000008
【図７】
2008071658.tif 000009